(57)【要約】【課題】  板体が、立体視覚効果を有し、且つ、弾力性、柔軟性を具備する質感及び触感を有するようにすることを課題とする。【解決手段】  条片状の紙材を縦横交互に編んで形成された編織層(10、60)を、木板(20)の表面に高圧或いは接着により結合してなる。結合後、板体は編織物の質感及び弾力性、柔軟性を有する触感を具備する。更に、編織物の平面視覚を立体化させ、全体質感を高上させる。【選択図】  図１
0003114376.tif 000002
【実用新案登録請求の範囲】
【請求項１】
条片状の紙材を縦横交互に編んで形成された編織層(10、60)を、木板、合板、或いは曲板の表面に高圧或いは接着により結合してなる構成の編織面材を具備する板体の構造。
【請求項２】
前記編織層(10)は、直接字を書いたり、絵を描いたりすることが可能である表面紙質を有することを特徴とする請求項１記載の編織面材を具備する板体の構造。
【請求項３】
前記編織層(60)は、複数の扁形断面紙材(62)或いは複数の円形断面紙材(61)及び扁形断面紙材(62)を縦横交互に編んで形成したものであることを特徴とする請求項１記載の編織面材を具備する板体の構造。
【考案の詳細な説明】
【技術分野】
【０００１】
本考案は一種の編織面材を具備する板体の構造に係り、特に、一種の弾力性及び柔軟性触感のある編織面材を具備する板体の構造に関する。
【背景技術】
【０００２】
従来の木板の材質、触感、視覚効果は周知の如くであり、木板、合板、或いは曲木は建築、インテリア、家具等に使用され、人々の生活と密着している。
【０００３】
しかし、上記材質は表面を再処理する必要があり、一般的には木板の表面に塗装を施したりPVCを貼り付けたりする。
【考案の開示】
【考案が解決しようとする課題】
【０００４】
従来の編織面材を具備する板体の構造は、以下の欠点を有する。
【０００５】
１．視覚感覚上立体感のない平面的表面に留まる。
【０００６】
２．全体的質感は本来の木板、合板、或いは曲板の質感に留まり、全体質感を高めることができない。
【０００７】
３．表面は平面且つ硬質であり、いわゆる人にやさしい質感或いは触感ではなく、商品に対する購買意欲が失われやすい。
【０００８】
従って、従来の板体の上記欠点を解決した構造のよりよい板体を開発するかが、関係業界では開発目標となっている。
【０００９】
本考案人は上記課題に取り組み、関係する製品の開発及び設計に従事し、上記の目標に焦点をしぼり、研究を行ない、設計もより精密になり、試験と評価を繰り返し、ついに実用性のある本考案が完成した。
【００１０】
本考案は、上記課題を解決した編織面材を具備する板体の構造を目的とする。
【課題を解決するための手段】
【００１１】
本考案は、条片状の紙材を縦横交互に編んで形成された編織層(10、60)を、木板、合板、或いは曲板の表面に高圧或いは接着により結合してなる構成である。
【考案の効果】
【００１２】
条片状の紙材を縦横交互に編み、編織層を形成することにより、編織層に紙材の質感或いは模様を具備させ、更に紙質編織物の立体視覚及び触感を具備させることが出来る。また、紙材のカラーの配色により多様な色の変化を生み出すことが出来る。また、編織層を木板、合板、或いは曲板の表面に高圧或いは接着により結合させることにより、板体は立体視覚効果を有し、且つ、弾力性、柔軟性を具備する質感及び触感を有することが出来る。
【考案を実施するための最良の形態】
【００１３】
次に本考案の実施の形態について説明する。
【実施例１】
【００１４】
本考案の構造の特徴及びその効果を以下に実施例とそれに合わせた図式及び詳細な説明を列挙し、本考案の長所を詳述する。
【００１５】
図１は本考案の実施例１になる編織面材を具備する板体の分解立体図、図２は立体図、図３は局部断面図である。
【００１６】
編織面材を具備する板体は、条片状の紙材を縦横交互に編み、編織層を形成することにより、編織層に紙材の質感或いは模様を具備させ、更に紙質編織物の立体視覚及び触感を具備させることができ、且つ、紙材のカラーの配色により多様な色の変化を生み出すことができ、編織層を更に木板、合板、或いは曲板の表面に高圧或いは接着により結合させることにより、一種の編織面材を具備する板体を形成することができ、該編織面材を具備する板体は立体視覚効果を有し、且つ、弾力性、柔軟性を具備する質感及び触感を有することができる。
【００１７】
編織層(10)は複数の条片状の紙材(11)(12)を縦横交互に編み、編織層(10)を形成したものであり、該編織層(10)は立体視覚効果及び編織物の弾力性、柔軟性質感及び触感を有する。
【００１８】
また、編織層(10)は木板(20)の表面に高圧或いは接着により結合され、一体化しているため、従来の建築、インテリア、家具等に木板(20)を使用するところを編織面材を具備する板体を採用することにより、木板(20)の表面を再処理する時間とコストを節約出来る。
【００１９】
更に、木板(20)の編織層(10)表面は使用者に従来の（インパクトのない）感覚を与えることなく、編織層(10)に立体視覚効果を具備させることともに、使用者に異なる質感を与え、接触時、編織層(10)の有する弾力性及び柔軟性触感を与えることができ、内部に薄いスポンジを有するかのような感覚を使用者に与え、木板(20)の硬質感を完全に消失させることができる。
【実施例２】
【００２０】
図４は本考案の実施例２になる編織面材を具備する板体の分解立体図である。編織層(10)は複数の条片状の紙材(11)(12)を縦横交互に編み、編織層(10)を形成したものであり、該編織層(10)は立体視覚効果及び編織物の弾力性、柔軟性質感及び触感を有し、又、該編織層(10)は合板(50)の表面に高圧或いは接着により結合され、一体化しているため、従来の建築、インテリア、家具等に合板(50)を使用する所を編織面材を具備する板体を採用することにより、合板(50)の表面を再処理する時間とコストを節約できる。
【００２１】
更に、合板(50)の編織層(10)表面は使用者に従来の（インパクトのない）感覚を与えることなく、編織層(10)に立体視覚効果を具備させることともに、使用者に異なる質感を与え、接触時、編織層(10)の有する弾力性及び柔軟性触感を与えることができ、内部に薄いスポンジを有するかのような感覚を使用者に与え、合板(50)の硬質感を完全に消失させることができる。
【実施例３】
【００２２】
図５は本考案の実施例３になる編織面材を具備する板体の分解立体図である。編織層(30)は複数の条片状の紙材(31)(32)を縦横交互に編み、編織層(30)を形成したものであり、該編織層(30)は立体視覚効果及び編織物の弾力性、柔軟性質感及び触感を有し、又、該編織層(30)は曲木(40)の表面に高圧或いは接着により結合され、一体化しているため、従来の建築、インテリア、家具等に曲木(40)を使用する所を編織面材を具備する板体を採用することにより、曲木(40)の表面を再処理する時間とコストを節約できる。
【００２３】
更に、曲木(40)の編織層(30)表面は使用者に従来の（インパクトのない）感覚を与えることなく、編織層(30)に立体視覚効果を具備させることともに、使用者に異なる質感を与え、接触時、編織層(30)の有する弾力性及び柔軟性触感を与えることができ、内部に薄いスポンジを有するかのような感覚を使用者に与え、曲木(40)の硬質感を完全に消失させることができる。
【実施例４】
【００２４】
図６に示す如く、編織層(60)は複数の条片状の円形断面紙材(61)と扁形断面紙材(62)を縦横交互に編み、編織層(60)を形成したものであり、該編織層(60)は立体視覚効果及び編織物の弾力性、柔軟性質感及び触感を有し、又、該編織層(60)は木板(20)、合板、或いは曲木の表面に高圧或いは接着により結合され、一体化しているため、従来の建築、インテリア、家具等に木板(20)を使用する所を編織面材を具備する板体を採用することにより、木板(20)の表面を再処理する時間とコストを節約できる。
【００２５】
更に、木板(20)の編織層(60)表面は使用者に従来の（インパクトのない）感覚を与えることなく、編織層(60)に立体視覚効果を具備させることともに、使用者に異なる質感を与え、接触時、編織層(60)の有する弾力性及び柔軟性触感を与えることができ、内部に薄いスポンジを有するかのような感覚を使用者に与え、木板(20)の硬質感を完全に消失させることができる。
【００２６】
上記は本考案の考案実施例について本創作の技術及び特徴を具体に説明するもので、熟知した技術者が本創作の延長線上で修正作業を行なっても本創作の権利範囲内である。
【図面の簡単な説明】
【００２７】
【図１】本考案の実施例１になる編織面材を具備する板体の分解立体図である。
【図２】図１の編織面材を具備する板体の立体図である。
【図３】図１の編織面材を具備する板体の局部断面図である。
【図４】本考案の実施例２になる編織面材を具備する板体の分解立体図である。
【図５】本考案の実施例３になる編織面材を具備する板体の分解立体図である。
【図６】本考案の実施例４になる編織面材を具備する板体の分解立体図である。
【符号の説明】
【００２８】
10  編織層
11  紙材
12  紙材
20  木板
30  編織層
31  紙材
32  紙材
40  曲木
50  合板
60  編織層
61  円形断面紙材
62  扁形断面紙材
【図１】
0003114376.tif 000003
【図２】
0003114376.tif 000004
【図３】
0003114376.tif 000005
【図４】
0003114376.tif 000006
【図５】
0003114376.tif 000007
【図６】
0003114376.tif 000008